(57)【要約】【課題】  測定結果を周囲のどの方向からでも見ることができるようにする指先型オキシメータを提供する。【解決手段】  順次循環的に提示される複数の表示モードを有し、使用者が測定結果を周囲のどの方向からでも容易に見ることができるようにする指先型オキシメータが提供される。本発明により、使用者は、指先型オキシメータの測定結果を周囲のどの方向からでも見ることができ、指を曲げる必要がない。これにより、動脈性毛細血管の部分的閉塞を回避することができるため、脈拍の強さが低下することがなく、信号の強度に影響が及ぶことがない。この結果、測定精度が向上する。【選択図】図２
2010500058.tif 000002
【特許請求の範囲】
【請求項１】
１つずつ循環的に提示可能な複数の表示モードを有し、使用者が測定結果を周囲のどの方向からでも便利に見ることを容易にすることを特徴とする指先型オキシメータ。
【請求項２】
前記表示モードが、ボタンを手動で押すことによってある表示モードから次の表示モードへと切り替えられるか、または自動的にある表示モードから次の表示モードへと切り替えられることを特徴とする請求項１に記載の指先型オキシメータ。
【請求項３】
前記表示モードが、測定結果を提示する様式または見出しと測定結果との組み合わせを提示する様式を指し、前記見出しを正立状態または倒立状態で提示することができることを特徴とする請求項２に記載の指先型オキシメータ。
【請求項４】
前記測定結果が、測定パラメータ、測定パラメータおよび脈拍コラム、または測定パラメータおよび波形を含み、前記測定パラメータが、横長書式で正立状態、縦長書式で右に寝かせた状態、横長書式で倒立状態、または縦長書式で左に寝かせた状態で提示されることを特徴とする請求項２に記載の指先型オキシメータ。
【請求項５】
前記指先型オキシメータが、信号駆動装置と、信号取得および増幅装置と、前記指先型オキシメータに電力を供給するための電源装置と、ボタンと、中央処理装置と、ディスプレイとを含み、前記ボタンは、使用中の前記指先型オキシメータの表示モードを更新するための命令を入力するように適合されており、前記中央処理装置は、いずれかのボタンが押されたかどうかを判断し、このような動作が検出されると、新しい表示モードを設定して前記使用中の表示モードを新しい表示モードで更新し、前記新しい表示モードに関する信号を前記ディスプレイに送信するように適合されており、前記ディスプレイは、前記中央処理装置から前記新しい表示モードに関する信号を受信し、前記新しい表示モードで前記測定結果を提示するように適合されていることを特徴とする請求項１に記載の指先型オキシメータ。
【請求項６】
前記中央処理装置が、圧力走査装置と、切替および設定装置と、表示更新装置とを少なくとも含み、前記圧力走査装置は、いずれかのボタンが押されたかどうかを判断し、このような動作が検出されると、当該動作に関する第１の信号を前記切替および設定装置に送信するように適合されており、前記切替および設定装置は、前記圧力走査装置から前記第１の信号を受信し、使用中の表示モードを考慮して新しい表示モードを設定し、前記使用中の表示モードから切り替えられるべき前記新しい表示モードに関する第２の信号を前記表示更新装置に送信するように適合されており、前記表示更新装置は、前記切替および設定装置から前記第２の信号を受信し、前記使用中の表示モードを更新し、前記新しい表示モードに関する第３の信号を前記ディスプレイに送信するように適合されていることを特徴とする請求項１に記載の指先型オキシメータ。
【発明の詳細な説明】
【技術分野】
【０００１】
本発明は、指先型オキシメータに関し、より具体的には、表示された測定結果を周囲のどの方向からでも見ることができるようにする指先型オキシメータに関する。
【０００２】
別の態様において、本発明は、指先型オキシメータの測定結果を周囲のどの方向からでも見ることができるようにするための方法に関する。
【０００３】
第３の態様において、本発明は、測定結果を音声で報告し、使用者およびその他の近くにいる人に当該結果を知らせる指先型オキシメータに関する。
【背景技術】
【０００４】
酸化ヘモグロビンおよび脈拍の測定に広く使われる指先型オキシメータは、非侵襲的な測定技術を用いている。
【０００５】
指先型オキシメータは、選択された波長の光波の吸収率を測定することによって酸化ヘモグロビン数および脈拍数を決定するように動作する。具体的には、光電発光器からの光線が、使用者の生体組織を透過するように構成され、受光器によって検出された後、電気信号に変換される。これにより、使用者の指を流れる動脈血の酸素飽和度（すなわちＳｐＯ２）が得られ、オキシメータのディスプレイ上に提示される。
【０００６】
しかしながら、従来技術では、使用者は測定結果を一方向のみでしか見ることができない。結果を見るとき、使用者は、表示された情報が読みにくい場合は、当該情報を正しく見るために指を曲げなければならない。しかし、指を曲げると動脈性毛細血管の部分的閉塞が生じることがあり、そのため、脈拍の強さが低下し、信号の強度が弱まる。この結果、測定精度が落ちる。
【発明の概要】
【発明が解決しようとする課題】
【０００７】
本発明の目的は、測定結果を周囲のどの方向からでも見ることができるようにする指先型オキシメータであって、使用者が、結果を見るときに、表示された情報が読みにくい場合であっても当該情報を正しく見るために指を曲げる必要がなく、そのため、動脈性毛細血管の部分的閉塞を回避し、これにより脈拍の強さの低下を防止し、さらには信号の強度の低下を防止し、よって、測定精度を向上させることが可能な指先型オキシメータを提供することである。
【０００８】
本発明の別の目的は、指先型オキシメータの測定結果を周囲のどの方向からでも見ることができるようにするための方法を提供することである。
【０００９】
本発明のさらなる目的は、測定結果を音声で報告し、使用者およびその他の近くにいる人に当該測定結果を知らせることが可能な指先型オキシメータを提供することである。
【課題を解決するための手段】
【００１０】
したがって、本発明の第１の態様によると、順次循環的に提示される複数の表示モードを有し、使用者が測定結果を周囲のどの方向からでも容易に見ることができるようにすることを特徴とする指先型オキシメータが提供される。
【００１１】
ボタンを手動で押すことによって表示モードの１つが次の表示モードへと切り替えられるか、または自動的に表示モードが切り替えられることが好ましい。
【００１２】
表示モードが、測定結果を提示する様式または見出しと測定結果との組み合わせを提示する様式を指し、見出しが、正立状態または倒立状態で提示されることが好ましい。
【００１３】
測定結果が、測定パラメータ、測定パラメータおよび脈拍コラム、または測定パラメータおよび波形を含み、測定パラメータを、横長書式で正立状態、縦長書式で右に寝かせた状態、横長書式で倒立状態、または縦長書式で左に寝かせた状態で提示することができることが好ましい。
【００１４】
指先型オキシメータが、信号駆動装置と、信号取得および増幅装置と、指先型オキシメータに電力を供給するための電源装置と、ボタンと、中央処理装置と、ディスプレイとを含み、ボタンは、指先型オキシメータの表示モードを更新するための命令を入力するように適合されており、中央処理装置は、いずれかのボタンが押されたかどうかを判断し、このような動作が検出されると、新しい表示モードを設定して使用中の表示モードを新しい表示モードで更新し、当該新しい表示モードに関する信号をディスプレイに送信するように適合されており、ディスプレイは、中央処理装置から新しい表示モードに関する信号を受信し、当該新しい表示モードで測定結果を提示するように適合されていることが好ましい。
【００１５】
中央処理装置が、圧力走査装置と、切替および設定装置と、表示更新装置とを少なくとも含み、圧力走査装置は、いずれかのボタンが押されたかどうかを判断し、このような動作が検出されると、当該動作に関する第１の信号を切替および設定装置に送信するように適合されており、切替および設定装置は、圧力走査装置から第１の信号を受信し、使用中の表示モードを考慮して新しい表示モードを設定し、使用中の表示モードから切り替えられるべき当該新しい表示モードに関する第２の信号を表示更新装置に送信するように適合されており、表示更新装置は、切替および設定装置から第２の信号を受信し、使用中の表示モードを更新し、新しい表示モードに関する第３の信号をディスプレイに送信するように適合されていることが好ましい。
【００１６】
本発明の第２の態様によると、指先型オキシメータの測定結果を周囲のどの方向からでも見ることができるようにするための方法であって、１）使用中の指先型オキシメータの表示モードを更新するための命令を入力するステップと、２）当該命令の検出後、使用中の表示モードの新しい表示モードへの切り替えおよび更新を行い、新しい表示モードに関する信号をディスプレイに送信するステップと、３）使用中の表示モードの更新に関する信号をディスプレイが受け取った後、当該新しい表示モードで測定結果を提示するステップとを含むことを特徴とする方法が提供される。
【００１７】
ステップ２）が、使用中の表示モードを更新するための命令を検出するサブステップと、使用中の表示モードから切り替えられるべき新しい表示モードを設定するサブステップと、使用中の表示モードを新しい表示モードで更新し、新しい表示モードに関する信号をディスプレイに送信するサブステップとをさらに含むことが好ましい。
【００１８】
表示モードが、測定結果を提示する様式または見出しと測定結果との組み合わせを提示する様式を指し、見出しが、正立状態または倒立状態で提示されることが好ましい。
【００１９】
測定結果が、測定パラメータ、測定パラメータおよび脈拍コラム、または測定パラメータおよび波形を含み、測定パラメータが、横長書式で正立状態、縦長書式で右に寝かせた状態、横長書式で倒立状態、または縦長書式で左に寝かせた状態で提示されることが好ましい。
【００２０】
本発明の第３の態様によると、測定結果を音声で使用者およびその他の近くにいる人に報告することが可能な指先型オキシメータが提供される。
【発明の効果】
【００２１】
本発明によると、使用者は、指先型オキシメータの測定結果を周囲のどの方向からでも容易に見ることができ、測定結果を見るときに指を曲げる必要がないので、指を曲げることによる動脈性毛細血管の部分的閉塞が回避され、よって、脈拍の強さの低下が防止され、信号の強度が弱まることもなく、結果として、測定精度が向上する。
【図面の簡単な説明】
【００２２】
【図１】図１Ａ〜図１Ｆは、本発明の一実施形態によるオキシメータの異なる表示モードの概略図である。
【図２】図２は、本発明の一実施形態によるオキシメータのブロック図である。
【図３】図３は、本発明の一実施形態によるオキシメータの表示モードの更新のフローチャートである。
【発明を実施するための形態】
【００２３】
本発明の実施形態について、以下に図面とともに詳細に説明する。
【００２４】
本発明の一実施形態によると、オキシメータのディスプレイは、６４×１２８ドットアレイのモノクロディスプレイである有機発光ディスプレイ（organic light emitting display）（ＯＬＥＤ）である。本実施形態においては、ディスプレイの最初の１６列の色が黄色になっており、残りの４８列の色が青になっている。しかし、異なるディスプレイや表示様式を用いてもよい。
【００２５】
実際には、表示モードとは、通常、測定結果または見出しと測定結果との組み合わせが提示される様式のことをいう。見出しの提示のしかたは、必要に応じて正立状態または倒立状態に設定することができる。また、横長書式または縦長書式の外観が利用可能である。
【００２６】
測定結果には、測定パラメータ、測定パラメータおよび脈拍コラム（pulse column）、または測定パラメータおよび波形がある。測定パラメータの提示のしかたには、横長書式で正立状態、縦長書式で右に寝かせた状態、横長書式で倒立状態、または縦長書式で左に寝かせた状態がある。脈拍コラムの提示のしかたには、脈拍コラムが左に配置された表示、中央に配置された表示、または右に配置された表示がある。波形の提示のしかたは、必要に応じてベタ塗りで正立状態かまたは輪郭が示されたもので正立状態とすることができる。また、横長書式または縦長書式の外観が利用可能である。
【００２７】
上記の表示に関する選択肢は、使用時の状況に応じて組み合わせて用いることができる。
【００２８】
本実施形態においては、表示モードは、見出しおよび測定結果の提示のしかたを指す。
【００２９】
本実施形態においては、ディスプレイ画面が見出し領域とパラメータ領域に分割される。見出し領域は黄ブロックとしての上位１６列を占め、パラメータ領域は青ブロックとしての以降の４８列を占める。見出し領域の文字は、一定の高さでかつ正立状態または倒立状態の外観でしか表示できない。パラメータ領域の文字の高さは固定されていない。何らかの図形または波形もパラメータ領域に表示することができる。この領域では、文字を、正立状態、倒立状態、左に寝かせた状態、または右に寝かせた状態の外観で表示することができる。
【００３０】
図１Ａ〜図１Ｆを参照すると、本発明の一実施形態における６つの表示モードが図示されている。
【００３１】
図１Ａを参照すると、モード０においては、見出し（ＳＰＯ２％およびＰＲ）が横長書式で正立状態で表示され、測定パラメータ（９８および８０）が横長書式で正立状態で表示され、脈拍コラムが横長書式で左配置の正立状態で表示される。ここで、脈拍コラムは脈拍の強さを示すように適合されている。
【００３２】
図１Ｂを参照すると、モード１においては、見出し（ＰＲおよびＳＰＯ２％）と測定パラメータ（８０および９８）と脈拍コラムとは、それぞれ、縦長書式で正立状態、縦長書式で右向きに寝かせた状態、中央配置の正立状態で表示される。
【００３３】
図１Ｃを参照すると、モード２においては、見出し（ＳＰＯ２％およびＰＲ）と測定パラメータ（９８および８０）と脈拍コラムとは、それぞれ、横長書式で倒立状態、横長書式で倒立状態、右配置の正立状態で表示される。
【００３４】
図１Ｄを参照すると、モード３においては、見出し（ＳＰＯ２％およびＰＲ）は横長書式で正立状態で表示され、測定パラメータ（９８および８０）は縦長書式で左に寝かせた状態で表示され、脈拍コラムは中央配置の正立状態で表示される。
【００３５】
図１Ｅを参照すると、モード４においては、見出し（ＳＰＯ２％およびＰＲ）は横長書式で正立状態で表示され、測定パラメータ（９８および８０）は横長書式で正立状態で表示され、そして、横長書式でベタ塗りの波形が表示される。
【００３６】
図１Ｆを参照すると、モード５においては、見出し（ＳＰＯ２％およびＰＲ）は横長書式で正立状態で表示され、測定パラメータ（９８および８０）は横長書式で正立状態で表示され、そして、横長書式で輪郭が示された波形が表示される。
【００３７】
指先型オキシメータの電源を入れ、初期化すると、ディスプレイの動作モードおよびパラメータがセットアップされる。測定開始時は、表示モードはまず０に設定される。
【００３８】
図２を参照すると、本発明の一実施形態によると、ボタン１１が１回押されたことを中央処理装置（ＣＰＵ）１２が検出すると、表示モードが１回更新される。ボタン１１が再度押されると、表示モードも再度更新される。ボタン１１が押される毎に表示モードがモード０からモード５へと１つずつ切り替えられていき、モード０に戻ると引き続き次のサイクルが繰り返される。したがって、測定結果を周囲のどの方向からでも容易に見ることができる。
【００３９】
これらの６つの表示モードは本発明の一実施形態をなすに過ぎない。本発明によると、実際には他の表示モードも考えられる。例えば、中央処理装置１２を、表示モードをモード０からモード５へと１つずつ自動的に順次更新していき、モード０に戻ると特定の間隔で次のサイクルを繰り返すように構成することができ、それによって、指先型オキシメータの測定結果を周囲のどの方向からでも容易に見ることができる。上記の間隔は、モードの表示サイクル時間をより速くしたりより遅くしたりするために必要に応じて予め定めることが可能である。
【００４０】
さらに、本発明の別の実施形態によると、指先型オキシメータを従来技術による音声作成技術と統合し、測定結果に対応する任意の数を発話させ、測定結果を自動的に音声で報告することが可能である。したがって、使用者およびその他の近くにいる人に結果を直接知らせることが可能であり、使用者が指先型オキシメータをより便利に使用できる。
【００４１】
図２を参照すると、本発明の一実施形態に基づく指先型オキシメータは、信号駆動装置１４と、信号取得および増幅装置１５と、指先型オキシメータに電力を供給するための電源装置１６および１７と、中央処理装置１２と、ディスプレイ１３と、ボタン１１とを含む。オキシメータの表示モードを更新するための命令を入力するためのボタン１１は、オキシメータに電力を供給するために電源装置を作動させるための電源装置に接続される。中央処理装置１２は、いずれかのボタン１１が押されたかどうかを判断し、ボタン１１が押されたことに応答して使用中の表示モードから切り替えられるべき新しい表示モードを設定し、使用中の表示モードを更新し、新しい表示モードに関する信号をディスプレイ１３に送信するように適合されている。ディスプレイ１３は、中央処理装置１２から新しい表示モードに関する信号を受信し、更新後の表示モードで測定結果を表示するように適合されている。
【００４２】
本発明の一実施形態によると、信号駆動装置１４と信号取得および増幅装置１５とは従来技術を利用することができる。
【００４３】
図２を参照すると、中央処理装置１２は、圧力走査装置１２１と、切替および設定装置１２２と、表示更新装置１２３とを少なくとも含む。圧力走査装置１２１は、いずれかのボタン１１が押されたかどうかを判断し、ボタン１１が押されたことに応答してボタン１１が押されたことに関する第１の信号を切替および設定装置１２２に送信するように適合されている。切替および設定装置１２２は、圧力走査装置１２１から第１の信号を受信し、使用中の表示モードから切り替えられるべき新しい表示モードを設定し、新しい表示モードに関する第２の信号を表示更新装置１２３に送信するように適合されている。表示更新装置１２３は、切替および設定装置１２２から新しい表示モードに関する第２の信号を受信し、使用中の表示モードを新しい表示モードで更新し、新しい表示モードに関する第３の信号をディスプレイ１３に送信するように適合されている。
【００４４】
信号駆動装置１４は、中央処理装置１２の制御下で発光器に光線を放出させるように適合されている。信号取得および増幅装置１５は、測定対象の組織を透過した光を受光し、電気信号に変換し、この電気信号を中央処理装置１２に送信するように適合されている。
【００４５】
本実施形態において、電源装置は、電源入力装置１６と電源出力および管理装置１７とを含む。ボタン１１と電源入力装置１６とは、それぞれ、電源出力および管理装置１７に接続される。
【００４６】
本発明の一実施形態によると、中央処理装置１２は、シグナル社（ＣＹＧＮＡＬ  Ｃｏｒｐｏｒａｔｉｏｎ）から入手可能なＣ８０５１Ｆ００７チップを利用し、このチップは、２３０４バイトのデータメモリと、３２Ｋのフラッシュメモリと、４チャンネルの１２ビットＡ／Ｄ（アナログ／デジタル）変換器と、２チャンネルの１２ビットＤ／Ａ（デジタル／アナログ）変換器と、２つの比較器と、内蔵２．４Ｖ電圧基準と、内蔵クロック源と、４チャンネルの１６ビットカウンタ／タイマとを有する。
【００４７】
本発明の一実施形態によると、ディスプレイ１３は、測定結果を提示するためのＯＬＥＤである。中央処理装置１２のＩ／Ｏ（入出力）インターフェースは、直接駆動される。
【００４８】
本実施形態においては、電源入力装置１６は、２つの単４形アルカリ電池または充電池からなり、２．３〜３．３Ｖの電圧を提供する。
【００４９】
本発明の一実施形態によると、電源出力および管理装置１７の出力は＋３．３Ｖおよび＋８Ｖである。オフにすると、電源入力を切断することができるので、電源の出力は０Ｖになる。
【００５０】
２．３Ｖ〜３．３Ｖの電源出力は、ＭＴ１８６０電源チップによって３．３Ｖおよび８Ｖの出力に変換される。最大電源出力は、ＰＷＭ（パルス幅変調）モードにおいて周波数１ＭＨｚで、４００ｍＡである。
【００５１】
電源管理は、ボタンまたはＩ／Ｏ出力を用いることによって行われる。ボタン１１が押されると、電圧出力が＋３．３Ｖになる。中央処理装置１２は、電源制御を引き継ぎ、ボタン１１が押されたことを検出した場合は＋８Ｖの電圧を出力する。
【００５２】
電源はボタン１１の解放後は通常通りに機能する。マスターチップが８秒間全くデータを検出できない場合は、システムは停止され、オフの状態になる。
【００５３】
＋２．７Ｖ未満という低い電圧入力を検出した場合は、入力電源の損傷を防止するために、低電池電圧警告が表示される。
【００５４】
ボタン１１が押された後にローレベル信号またはハイレベル信号が生成され、さらに割り込みがかかるので、中央処理装置１２はこのようにボタン１１が押されたという事実を認識する。その後、中央処理装置１２は新しい表示モードを設定し、現在の表示モードを新しい表示モードに切り替える。
【００５５】
中央処理装置（ＣＰＵ）１２は、上記以外のチップを利用してもよい。さらに、本実施形態において必要とされる、ボタン１１が押されたことに関する情報を中央処理装置１２に送信するためのアナログ比較入力の代わりに、Ｉ／Ｏインターフェース入力または割り込みインターフェース入力を用いることが可能である。
【００５６】
本発明の別の態様においては、指先型オキシメータの測定結果を見るための方法であって、
ステップ１）使用中の指先型オキシメータの表示モードを更新するための命令を入力するステップと、
ステップ２）命令の検出後、使用中の表示モードの切り替えおよび更新を行い、新しい表示モードに関する信号を指先型オキシメータのディスプレイに送信するステップと、
ステップ３）ディスプレイが新しい表示モードに関する信号を受け取った後、更新後の新しい表示モードで測定結果を提示するステップとを含む方法が提供される。
【００５７】
好ましくは、ステップ２）は、使用中の指先型オキシメータの表示モードを更新するための命令を検出するサブステップと、使用中の表示モードから切り替えられるべき新しい表示モードを設定するサブステップと、使用中の表示モードを新しい表示モードで更新し、新しい表示モードに関する信号をディスプレイに送信するサブステップとをさらに含む。
【００５８】
ここで、指先型オキシメータの測定結果を周囲のどの方向からでも見るための方法について、本発明の一実施形態に従って説明する。本方法は、
ステップ１）使用者が、ボタン１１を押すことにより、使用中の指先型オキシメータの表示モードを更新するための命令を入力するステップと、
ステップ２）中央処理装置１２が、ボタン１１が押されたことを検出した後、使用中の表示モードから切り替えられるべき新しい表示モードを設定し、使用中の表示モードを新しい表示モードで更新し、新しい表示モードに関する信号をディスプレイ１３に送信するステップと、
ステップ３）ディスプレイ１３が、中央処理装置１２から提示されるべき新しい表示モードに関する信号を受信し、更新後の新しい表示モードで測定結果を提示するステップとを含む。
【００５９】
好ましくは、ステップ２）は、圧力走査装置１２１が、ボタン１１が押されたかどうかを判断し、ボタン１１が押されたことを検出すると、ボタン１１が押されたことに関する第１の信号を切替および設定装置１２２に送信するサブステップと、切替および設定装置１２２が、圧力走査装置１２１から第１の信号を受信し、使用中の表示モードから切り替えられるべき新しい表示モードを設定し、新しい表示モードに関する第２の信号を表示更新装置１２３に送信するサブステップと、表示更新装置１２３が、切替および設定装置１２２から第２の信号を受信し、使用中の表示モードを更新し、新しい表示モードに関する第３の信号をディスプレイ１３に送信するサブステップとをさらに含む。
【００６０】
以下、図３および図１Ａ〜図１Ｆを参照しながら、上記の６つの表示モードの例で本方法をさらに説明する。
【００６１】
指先型オキシメータがオフ状態のときは、ボタン１１が初めて押されるとオンになる。それから、指先型オキシメータは自動的に電源投入され、初期化される。最初の表示モードはモード０に設定される。
【００６２】
以後、中央処理装置１２がボタン１１が押されたことを一旦検出すると、表示モードが更新される。ボタン１１が再度押されると、表示モードは別の新しい表示モードに切り替えられる。このように、表示モードはモード０からモード５へと１つずつ切り替えられ、再び最初のモード０に戻り、次のサイクルに入る。これにより、測定結果を周囲のどの方向からでも容易に見ることが可能になる。
【００６３】
具体的には、中央処理装置１２の圧力走査装置１２１が、ボタン１１が押されたかどうかを特定の間隔で判断する。ボタン１１がまだ押されていない場合は、表示更新装置１２３と血液酸素パラメータおよび波形処理装置とが従来技術と同じ方法で何度もその検出を試み続ける。ボタン１１が押されたことが一旦検出されると、その押されたことに関する第１の信号が切替および設定装置１２２に送信されて処理され、切替および設定装置１２２は、圧力走査装置１２１によって検出された第１の信号を受信し、特定のカウント動作を実行し、ボタンの振動により生じるノイズ信号を濾波し、元の表示モード（モード０）に代わる新しい表示モード（モード１）を設定し、ディスプレイの画面を新しい表示モードで初期化し、新しい表示モード（モード１）に関する第２の信号を表示更新装置１２３に送信し、表示更新装置１２３は、特定の間隔で表示更新フラグを確認し、パラメータおよび波形に更新があった場合は新しい表示モード（モード１）で測定結果をディスプレイ１３上に表示する。
【００６４】
本実施形態においては、表示モードの変更は、初めてボタン１１が押されるとモード１に変更され、２回目にボタン１１が押されるとモード２に変更されるというように行われる。
【００６５】
表示モードの変更順序は固定されていない。特定の要求を満たすために表示モードの順序を調整することが可能である。さらに、広範囲にわたる一連の表示モードを用意するために他の表示モードを追加することが可能である。
【００６６】
本発明を用いると、使用者は、測定結果を周囲のどの方向からでも容易に見ることができ、指を曲げる必要がないため、測定精度が保証される。
【００６７】
上記の全ての実施形態は例示であり、本発明を限定するものではない。
【００６８】
本発明をいくつかの実施形態において説明したが、添付の特許請求の範囲により示される本発明の精神および範囲から逸脱することなく本発明を様々に変更および改良することが可能であることは当業者には理解されるであろう。
【符号の説明】
【００６９】
１１  ボタン
１２  中央処理装置
１２１  圧力走査装置
１２２  設定装置
１２３  表示更新装置
１３  ディスプレイ
１４  信号駆動装置
１５  振動取得および増幅装置
１６  電源入力装置
１７  電源出力および管理装置
【図１】
2010500058.tif 000003
【図２】
2010500058.tif 000004
【図３】
2010500058.tif 000005
【手続補正書】
【提出日】平成21年3月17日(2009.3.17)
【手続補正１】
【補正対象書類名】特許請求の範囲
【補正対象項目名】全文
【補正方法】変更
【補正の内容】
【特許請求の範囲】
【請求項１】
１つずつ循環的に提示可能な複数の表示モードを含み、使用者が測定結果を周囲のどの方向からでも便利に見ることができるようにする指先型オキシメータであって、
前記指先型オキシメータが、使用中の表示モードを更新するための手動押しボタンを有することと、
各表示モードが見出し領域とパラメータ領域とを有し、前記見出し領域の文字が、正立状態または倒立状態で提示され、前記パラメータ領域が、測定パラメータ、脈拍コラムおよび／または波形を、正立状態、右に寝かせた状態、倒立状態、または左に寝かせた状態で示すように設けられていることを特徴とする指先型オキシメータ。
【請求項２】
少なくとも６つの表示モードを有し、
モード０においては、見出しが横長書式で正立状態で表示され、測定パラメータが横長書式で正立状態で表示され、脈拍の強さを示すための脈拍コラムが横長書式で左配置の正立状態で表示され、
モード１においては、見出しと測定パラメータと脈拍コラムとが、それぞれ、縦長書式で正立状態、縦長書式で右に寝かせた状態、中央配置の正立状態で表示され、
モード２においては、見出しと測定パラメータと脈拍コラムとが、それぞれ、横長書式で倒立状態、横長書式で倒立状態、右配置の正立状態で表示され、
モード３においては、見出しが横長書式で正立状態で表示され、測定パラメータが縦長書式で左に寝かせた状態で表示され、脈拍コラムが中央配置の正立状態で表示され、
モード４においては、見出しが横長書式で正立状態で表示され、測定パラメータが横長書式で正立状態で表示され、横長書式でベタ塗りの波形が表示され、
モード５においては、見出しが横長書式で正立状態で表示され、測定パラメータが横長書式で正立状態で表示され、横長書式で輪郭が示された波形が表示されることを特徴とする請求項１に記載の指先型オキシメータ。
【請求項３】
前記測定結果を音声で報告するための手段を有し、これにより使用者およびその他の近くにいる人に前記測定結果を知らせることを特徴とする請求項１に記載の指先型オキシメータ。
【請求項４】
使用中の前記指先型オキシメータの表示モードを更新するための命令を入力するように適合された少なくとも１つのボタンと、
いずれかのボタンが押されたかどうかを判断し、このような動作が検出されると、新しい表示モードを設定して前記使用中の表示モードを新しい表示モードで更新し、前記新しい表示モードに関する信号をディスプレイに送信するように適合された中央処理装置と、
前記中央処理装置から前記新しい表示モードに関する信号を受信し、前記新しい表示モードで前記測定結果を提示するように適合されたディスプレイと、
前記中央処理装置の制御下で発光器に光線を放出させるように適合された信号駆動装置と、
測定対象の組織を透過した光を受光し、電気信号に変換し、前記電気信号を前記中央処理装置に送信するように適合された信号取得および増幅装置と、
電源入力装置と電源出力および管理装置とを含む、前記指先型オキシメータに電力を供給するための電源装置であって、前記ボタンと前記電源入力装置とがそれぞれ前記電源出力および管理装置に接続された電源装置とを含むことを特徴とする請求項１に記載の指先型オキシメータ。
【請求項５】
前記中央処理装置が、圧力走査装置と、切替および設定装置と、表示更新装置とを少なくとも含み、
前記圧力走査装置は、いずれかのボタンが押されたかどうかを判断し、このような動作が検出されると当該動作に関する第１の信号を前記切替および設定装置に送信するように適合されており、
前記切替および設定装置は、前記圧力走査装置から前記第１の信号を受信し、使用中の表示モードを考慮して新しい表示モードを設定し、前記使用中の表示モードから切り替えられるべき前記新しい表示モードに関する第２の信号を前記表示更新装置に送信するように適合されており、
前記表示更新装置は、前記切替および設定装置から前記第２の信号を受信し、前記使用中の表示モードを更新し、前記新しい表示モードに関する第３の信号を前記ディスプレイに送信するように適合されていることを特徴とする請求項４に記載の指先型オキシメータ。
【請求項６】
指先型オキシメータの測定結果を周囲のどの方向からでも見るための方法であって、
ステップ１）使用者が、ボタンを押すことにより、使用中の前記指先型オキシメータの表示モードを更新するための命令を入力するステップと、
ステップ２）中央処理装置が、前記ボタンが押されたことを検出した後、前記使用中の表示モードから切り替えられるべき新しい表示モードを設定し、前記使用中の表示モードを前記新しい表示モードで更新し、前記新しい表示モードに関する信号をディスプレイに送信するステップと、
ステップ３）前記ディスプレイが、前記中央処理装置から提示されるべき前記新しい表示モードに関する前記信号を受信し、前記新しい表示モードで測定結果を提示するステップとを含み、
ステップ２）は、圧力走査装置が、前記ボタンが押されたかどうかを判断し、前記ボタンが押されたことを検出すると前記ボタンが押されたことに関する第１の信号を切替および設定装置に送信するサブステップと、前記切替および設定装置が、前記圧力走査装置から前記第１の信号を受信し、使用中の表示モードから切り替えられるべき新しい表示モードを設定し、前記新しい表示モードに関する第２の信号を表示更新装置に送信するサブステップと、前記表示更新装置が、前記切替および設定装置から前記第２の信号を受信し、前記使用中の表示モードを更新し、前記新しい表示モードに関する第３の信号を前記ディスプレイに送信するサブステップとをさらに含むことを特徴とする方法。
【請求項７】
前記指先型オキシメータが、前記測定結果を音声で報告し、これにより使用者およびその他の近くにいる人に前記測定結果を知らせるステップを含むことを特徴とする、請求項６に記載の指先型オキシメータの測定結果を周囲のどの方向からでも見るための方法。
【国際調査報告】
2010500058.tif 000006
2010500058.tif 000007
2010500058.tif 000008
2010500058.tif 000009
2010500058.tif 000010
2010500058.tif 000011